(57)【要約】  本発明は、格子状サイド部品（４）の水平ロッド（２）に対して引き出しガイド（６０）のレール（６２）を締結するための特にオーブン用の急速作用締結要素（７０）であって、ロッド（２）が長手方向に対して所定の角度で折り曲げられる端部（５）を有し、急速作用締結要素（７０）が、長手方向に配置されるロッド（２）の一部の周囲に少なくとも部分的に係合する第１のクランプ（７１）と、折り曲げ端部（５）の周囲に少なくとも部分的に係合する第２のクランプ（７６）とを有し、ロッド（２）の背後に係合して急速作用締結要素（７０）が折り曲げ端部（５）と平行な方向に引き出されるのを防止するラッチ要素（７４）が設けられ、ラッチ要素（７４）が第１または第２のクランプ（７１、７６）と一体形成される硬質隆起部の形態をなす急速作用締結要素（７０）を開示する。【選択図】  図１
2011529560.tif 000002
【特許請求の範囲】
【請求項１】
格子状サイド部品（４）の水平なロッド（２）に対して引き出しガイド（６０）のレール（６２）を固定するための、特にオーブン用の、急速作用締結要素（７０）であって、
前記水平ロッド（２）が、長手方向に対して所定の角度で折り曲げられた端部（５）を有し、
当該急速作用締結要素（７０）が、
長手方向に配置される前記ロッド（２）の一部を少なくとも部分的に取り囲む第１のクランプ（７１）と、
前記折り曲げられた端部（５）を少なくとも部分的に取り囲む第２のクランプ（７６）と
を有し、
前記ロッド（２）の後に係合して、当該急速作用締結要素（７２）が前記折り曲げ端部（５）と平行な方向に引き出されるのを防止するロック要素（７４）が設けられる、急速作用締結要素（７０）において、
前記ロック要素（７４）が、前記第１のクランプ（７１）または前記第２のクランプ（７６）と一体形成される硬質の突出部として設けられることを特徴とする、急速作用締結要素（７０）。
【請求項２】
前記ロック要素（７４）の前記突出部がストリップ形状部に形成され、前記ストリップ形状部の両側が前記第１のクランプ（７１）および前記第２のクランプ（７６）に接続されることを特徴とする、請求項１に記載の急速作用締結要素。
【請求項３】
前記ロック要素（７４）が、前記第１のクランプ（７１）および前記第２のクランプ（７６）の材料体によって全ての側面が取り囲まれる凹部（７５）により、前記第１のクランプ（７１）および前記第２のクランプ（７６）の残りの部分から離間されることを特徴とする、請求項１または２に記載の急速作用締結要素。
【請求項４】
前記凹部（７５）がＵ形状として設けられることを特徴とする、請求項３に記載の急速作用締結要素。
【請求項５】
前記ロック要素（７４）の前記突出部が前記ロッド（２）の中間領域まで延びることを特徴とする、請求項１〜４のいずれか一項に記載の急速作用締結要素。
【請求項６】
前記ロック要素（７４）の前記突出部が、前記ロッド（２）の長手方向に対して垂直に前記ロック要素の全幅にわたって延びるとともに、水平に対して斜めに配置されることを特徴とする、請求項１〜５のいずれか一項に記載の急速作用締結要素。
【請求項７】
前記ロック要素（７４）の前記突出部が前記ロッド（２）に最も隣接することを特徴とする、請求項６に記載の急速作用締結要素。
【請求項８】
前記ロック要素（７４）が前記第１のクランプ（７１）の壁部に形成されることを特徴とする請求項１〜７のいずれか一項に記載の急速作用締結要素。
【請求項９】
金属から一体品をなして形成されることを特徴とする、請求項１〜８のいずれか一項に記載の急速作用締結要素。
【発明の詳細な説明】
【技術分野】
【０００１】
本発明は、格子状サイド部品の水平ロッドに対して引き出しガイドのレールを締結するための特にオーブン用の請求項１のプリアンブル部に係る急速作用締結要素（ｑｕｉｃｋ−ａｃｔｉｏｎ  ｆａｓｔｅｎｉｎｇ  ｅｌｅｍｅｎｔ）に関する。
【背景技術】
【０００２】
独国特許第２０２００６００２２５１号明細書は、格子状サイド部品に対して引き出しガイドのレールを固定するための急速作用締結装置であって、ロッドを少なくとも部分的に取り囲むクランプ状保持部が設けられる急速作用締結装置を開示する。また、急速作用締結装置を固定するためにロッドの背後に係合するロック要素が設けられ、それにより、ガイドレールをロッドに固定できる。必要に応じて急速作用締結装置を取り外すために、ロック要素を手で曲げて取り外すことができる。これはユーザにより手作業で行なうことができ、そのため、不正確な作動も起こり得るという欠点を有する。また、傾斜したロック要素に起因して、負傷の危険が存在する。
【０００３】
独国特許第２０２００５０２０４５８号明細書も、サイド部品の支柱に対して引き出しガイドのレールを固定するための急速作用締結要素であって、格子状サイド部品でロックが行なわれる急速作用締結要素を開示する。急速作用締結要素は、ユーザにより手で曲げることができるスプリング舌部を有するロック手段を備える。ここでも、ユーザがロック要素を正確に取り扱わない場合に問題が生じる。
【発明の概要】
【発明が解決しようとする課題】
【０００４】
したがって、本発明の目的は、サイド部品の支柱に対する確実な締結を行なうとともに不正確な作業から幅広く保護される急速作用締結要素を提供することである。
【課題を解決するための手段】
【０００５】
この目的は、請求項１の特徴を有する急速作用締結要素によって達成される。
【０００６】
本発明によれば、急速作用締結要素は、第１または第２のクランプと一体形成される硬質突出部として形成されるロック要素を備える。これは、ロック要素を滑らかに回動させることができないようにし、それにより、取り外しまたは取り付けを行なうためにロック要素を手で握るようにユーザに促す可能性がある。これは、工具の使用時にロック要素が取り外し可能であるため回避され得るが、硬質形成により、意図しないマニュアル作動が確実に防止される。
【０００７】
本発明の好ましい実施形態によれば、ロック要素の突出部がストリップ形状部（帯状布部）に形成され、ストリップ形状部の両側がクランプに接続される。したがって、滑らかに回動できる自立端部を欠いている。むしろ、急速作用締結要素の係合中に突出部を移動させるために材料の弾力性が使用されなければならない。しかしながら、ストリップ形状のロック要素を移動させるための力は、既に知られるロック要素の自由に回動できる端部の場合の力よりも数倍大きい。
【０００８】
本発明の更なる実施形態によれば、ロック要素は、クランプの材料体によって全ての側面が取り囲まれる凹部により、クランプの残りの部分から離間される。したがって、それ自体が弾性体として設けられるが比較的硬質であるストリップ形状の輪郭が得られる。ロック要素のウェブ形状の取り付け部を長くするために、好ましくは凹部がＵ形状の輪郭を有し、それにより、回動可能なレバーとしてＬ形状のウェブ外形が設けられる。
【０００９】
ロック要素の突出部は、ロッドの中間領域まで、すなわち、ロッドの中心長手方向軸の高さまでほぼ延びることが好ましい。この領域では、ロッドが円形輪郭の場合に最も大きい幅を有し、それにより、本質的に形状適合するレセプタクルを急速作用締結要素に設けることができる。
【００１０】
本発明の更なる実施形態によれば、ロック要素の突出部は、ロッドの長手方向に対して垂直にロック要素の全幅にわたって延びるとともに、水平に対して斜めに配置される。ロック要素の突出部をロッドに最も隣接させることができ、それにより、急速作用締結要素が押し進められると、容易な取り付けを可能にする開始斜面が与えられる。
【００１１】
ロック要素は第１のクランプの壁部に形成されることが好ましく、それにより、ロッドの折り曲げ端部と平行な方向での急速作用締結要素の引き出しが防止される。
【００１２】
以下、添付図面に関連する典型的な実施形態に基づいて本発明を更に詳しく説明する。
【図面の簡単な説明】
【００１３】
【図１】取り付け状態の急速作用締結要素を有する家庭用器具の内部の斜視図を示している。
【図２】引き出しガイドのレール上に取り付けられる急速作用締結要素の斜視図を示している。
【図３】引き出しガイドのレール上に取り付けられる急速作用締結要素の斜視図を示している。
【図４】引き出しガイドのレール上に取り付けられる急速作用締結要素の斜視図を示している。
【図５】引き出しガイドのレール上に取り付けられる急速作用締結要素の斜視図を示している。
【図６】急速作用締結要素の斜視図を示している。
【図７】急速作用締結要素の斜視図を示している。
【図８】急速作用締結要素の斜視図を示している。
【発明を実施するための形態】
【００１４】
格子状サイド部品４が両側に設けられるオーブンの内部１が図１に示されている。格子状サイド部品４は、オーブンの前側３から後側まで延びるとともに、複数の水平ロッド２を有する。水平ロッド２は、前側３から後側へ延びており、本質的に垂直に折り曲げられる端部５を有する。ロッド２は、前面１４に隣接する屈曲端部５が格子状サイド部品４の支柱６に固定される。
【００１５】
レール６２を備える引き出しガイド６０が水平ロッド２に取り付けられ、レール６２は急速作用締結要素７０を介して水平ロッド２に固定される（図２）。引き出しガイド６０のスライドレール６１が調理材料キャリアの配置のための接触面を備え、突出ボルト１３がストッパとして使用され、カバーキャップ１０が前側へ向けて設けられる。
【００１６】
急速作用締結要素７０は、ロッド２の一部をＵ形状をなして長手方向に取り囲む第１のクランプ７１を備える。また、断面が同様にＵ形状として形成されて折り曲げ端部５を取り囲む第２のクランプ７６が設けられる。
【００１７】
また、第１のクランプ７１の壁部と一体に形成されるとともに突出部により形成されるロック要素７４が、急速作用締結要素をロッド２に固定するために設けられる。
【００１８】
図６〜図８に示されるように、突出部７４は、ロッド２の長手方向と平行に延び且つＵ形状をなして形成される凹部７５によってクランプ７１の残りの部分から離間されるストリップ形状部に形成される。ロッド２のためのレセプタクル１５が突出部とクランプ７１の床部７３との間に形成される。突出部７４は水平に対して傾けられ、突出部の最も高いポイントがロッド２に隣接して配置される。突出部７４が傾いて形成されているため、突出部は挿入斜面を形成し、それにより、急速作用締結要素７０が引き出しガイド６０に押し付けられるときに、係合が起こる。突出部７４とＬ形状部７２との間の領域は、本質的に床部７３に至るまで延びており、いずれの場合にもレバー距離として使用される。床部７３は、２つのＬ形状部７２が弾性的に屈曲できるように、スロットとして形成される凹部１６を介して第２のクランプ７６から離間される。
【００１９】
引き出しガイド６０に対する随意的な側方固定のために使用されるプレート形状の締結部７８も第１のクランプ７１に隣接して設けられる。したがって、急速作用締結要素７０の取り付けを引き出しガイド６０の底部または側部で行なうことができる。
【００２０】
第２のクランプ７６は、折り曲げ端部５を取り囲むウェブ７７を備える。第２のクランプ７６はロック要素を伴わずに形成される。しかしながら、それに代えてまたはそれに加えて、ロック要素を第２のクランプ７６に設けることができる。
【符号の説明】
【００２１】
１  内部
２  ロッド
３  前側
４  格子状サイド部品
５  折り曲げ端部
６  支柱
１０  カバーキャップ
１３  ボルト
１４  前面
１５  レセプタクル
１６  凹部
６０  引き出しガイド
６１  サイドレール
６２  レール
７０  急速作用締結要素
７１  第１のクランプ
７２  Ｌ形状部
７３  床部
７４  突出部
７５  凹部
７６  第２のクランプ
７７  ウェブ
７８  締結部
【図１】
2011529560.tif 000003
【図２】
2011529560.tif 000004
【図３】
2011529560.tif 000005
【図４】
2011529560.tif 000006
【図５】
2011529560.tif 000007
【図６】
2011529560.tif 000008
【図７】
2011529560.tif 000009
【図８】
2011529560.tif 000010
【国際調査報告】
2011529560.tif 000011
2011529560.tif 000012
2011529560.tif 000013
2011529560.tif 000014